(57)【要約】【課題】血液吸収止血スポンジ棒による吸液処置を、迅速かつ安全に、手術者のタイミングと感触で行うことを可能にする血液吸収止血スポンジ棒用保持バンドの提供。【解決手段】眼科手術に使用する血液吸収止血スポンジ棒用保持バンドであって、手術者の指に固定するための帯状のバンド部と、血液吸収止血スポンジ棒を挿設するための保持部とから構成されており、少なくとも該保持部が一対の面ファスナーで形成されていることを特徴とする血液吸収止血スポンジ棒用保持バンド。【選択図】図２
2008264241.tif 000002
【特許請求の範囲】
【請求項１】
眼科手術に使用する血液吸収止血スポンジ棒用保持バンドであって、手術者の指に固定するための帯状のバンド部と、血液吸収止血スポンジ棒を挿設するための保持部とから構成されており、少なくとも該保持部が一対の面ファスナーで形成されていることを特徴とする血液吸収止血スポンジ棒用保持バンド。
【請求項２】
前記バンド部が、一対の面ファスナーで形成されている請求項１に記載の血液吸収止血スポンジ棒用保持バンド。
【請求項３】
前記保持部が、前記バンド部の幅方向のいずれか一方に向けて、幅１０〜２５ｍｍの範囲内で延出された形態をしている請求項１又は２に記載の血液吸収止血スポンジ棒用保持バンド。
【請求項４】
前記保持部が、長さ２０〜７０ｍｍの範囲内で延出されている請求項３に記載の血液吸収止血スポンジ棒用保持バンド。
【請求項５】
前記保持部の血液吸収止血スポンジ棒を挿入する位置に切り込みを形成させた請求項１〜４のいずれか１項に記載の血液吸収止血スポンジ棒用保持バンド。
【発明の詳細な説明】
【技術分野】
【０００１】
本発明は、血液吸収止血スポンジ棒用保持バンドに関する。さらに詳しくは、眼科手術における血液吸収止血スポンジ棒（以下、単に「吸収スポンジ棒」という場合がある。）による処置を迅速かつ安全に施すことを可能にさせる血液吸収止血スポンジ棒用保持バンド（以下、単に「吸収スポンジ棒用保持バンド」又は「保持バンド」という場合がある。）に関する。
【背景技術】
【０００２】
白内障手術や緑内障手術等の眼科手術は、ミリ単位の細かな精度が要求される手術であることから、血液等の体液が手術の妨げとならないよう、出血した患者の血液を除去する処置を手術中に何回か行う必要がある。患者の血液を除去する方法としては、従来から、多量の液体を吸収することができる吸収スポンジ棒により、血液を吸収する方法が広く用いられている。該吸収スポンジ棒は、いわゆる綿棒と似た構造のものであり、図２に示したように、柄部分６の先端に高度の吸液性を有する吸収スポンジ部分５が取り付けられてなる。
【０００３】
通常、この吸収スポンジ棒による処置は、時間と労力の点から、看護師等の助手によって行われている。つまり、手術者自身が行うとすると、手術器具から吸収スポンジ棒に持ち替えるのに多くの時間を必要とし、また、これにより手術者は度重なる視点の変更を強いられるため、顕微鏡手術である眼科手術においては、大きな負担となるからである。
【０００４】
一方、吸収スポンジ棒による処置を助手が行う場合であっても、助手は手術者の指示を待って処置することから一定の時間を必要とし、必ずしも迅速な処置ができているとはいえなかった。また、この場合、手術者と助手のタイミングのズレにより手術のリズムが乱されることがあり、円滑な眼科手術の妨げとなる場合があった。
【発明の開示】
【発明が解決しようとする課題】
【０００５】
したがって、本発明の目的は、吸収スポンジ棒による吸液処置を、迅速かつ安全に、手術者のタイミングと感触で行うことを可能にし、これにより円滑な眼科手術を実現させる吸収スポンジ棒用保持バンドを提供することにある。本発明の別の目的は、吸収スポンジが過度な力で患者の患部に押しつけられることがなく、患者への負担軽減にも配慮した吸収スポンジ棒用バンドを提供することにある。
【課題を解決するための手段】
【０００６】
上記に挙げた課題は、以下の本発明により解決される。すなわち、本発明は、眼科手術に使用する吸収スポンジ棒用保持バンドであって、手術者の指に固定するための帯状のバンド部と、吸収スポンジ棒を挿設するための保持部とから構成されており、少なくとも該保持部が一対の面ファスナーで形成されていることを特徴とする吸収スポンジ棒用保持バンドである。
【０００７】
また、本発明の保持バンドは、前記バンド部が、一対の面ファスナーで形成されていること；前記保持部が、前記バンド部の幅方向のいずれか一方に向けて、幅１０〜２５ｍｍの範囲内で延出された形態をしていること；前記保持部が、長さ２０〜７０ｍｍの範囲内で延出されていること；前記保持部の血液吸収止血スポンジ棒を挿入する位置に切り込みを形成させていることが好ましい。
【発明の効果】
【０００８】
本発明によれば、眼科手術の際、吸収スポンジ棒を、迅速かつ安全に、手術者のタイミングで使用することを可能にし、円滑な眼科手術を実現させる吸収スポンジ棒用保持バンドを提供することができる。
【発明を実施するための最良の形態】
【０００９】
以下に、図面を参照して本発明を詳細に説明する。図１は、本発明の保持バンドの第１の実施形態を示す斜視図である。本発明の保持バンド１は、図１に示すように、手術者の指、好ましくは中指に固定するための帯状のバンド部２と、吸収スポンジ棒を挿設するための保持部３とから構成されている。
【００１０】
図２は、本発明の第１の実施形態である保持バンドを手術者の中指に装着した状態を示す説明図である。本発明の保持バンドは、従来、全くない製品であるので、先ず、その使用方法について説明する。図２に示すように、本発明の保持バンド１は、バンド部２を中指の第2関節と付け根の間に巻き付け固定させることにより、手術者の中指に装着される。また、装着した保持バンド１の保持部３には、吸収スポンジ棒4を挿設させることができる。この吸収スポンジ棒４は、どの方向に向けて挿設させてもよいが、患者の血液を吸収・除去する処置に使用する場合には、手の先方向（ｂ）に向けて挿設することが必要である（図２参照）。図３は、保持バンドの使用状態を示す図である。図３に示すとおり、保持バンド１に挿設した吸収スポンジ棒４の先端の高い吸液性を有する吸収スポンジ部分５を、出血箇所に軽く接触させるだけで血液を吸収・除去することができる。この処置は、図３に示すとおり、親指と人差し指で手術器具７を把持した状態のまま、手術者の手首を動かすことで簡単に、しかも手術者の感触を維持した状態で行うことができる。つまり、本発明の保持バンド１は、従来、助手が行うことが一般的であった吸収スポンジ棒4による吸液処置を、手術者が自らのタイミングと感触で、容易に行うことを可能とさせるものである。以下、本発明の保持バンドの構成を説明する。
【００１１】
本発明の保持バンド１の特徴は、上記保持部３を一対の面ファスナーで形成させた点にある。本発明の保持バンド１は、保持部３を一対の面ファスナーで形成させていることから、面ファスナーの接合部分に吸収スポンジ棒４を迅速かつ容易に挿設させることが可能となる（図４参照）。また、面ファスナーの接合部分に挿設された吸収スポンジ棒４は、面ファスナーの特性から、適度な強さで保持されることとなり、圧力によって、その先端を左右方向（ｄ）に少し動かせる状態、すなわち強固に固定されるのではなく、いわゆる「遊び」を有する状態で固定される（図４参照）。このため、吸収スポンジ棒４を出血箇所に接触させても、この動きがクッションの機能として働くことから、患者の眼に強い刺激を与えることはなく、患者への負担も軽減できる。
【００１２】
本発明を構成する保持部３の形態は、吸収スポンジ棒４を挿設できる形態であれば特に限定はないが、上記バンド部２の幅方向（ａ）のいずれか一方に向けて、幅１０〜２５ｍｍの範囲内で延出された形態であることが好ましい（図１参照）。保持部３をこの延出した形態とすることで、吸収スポンジ部４の柄部分６を保持部３に深く挿入させることが可能となり、これにより吸収スポンジ棒４が抜け落ちるのを確実に防止することができる。この形態の保持バンド１を装着する際は、この延出部分を手の甲側（ｃ）に向けて装着することが好ましい（図２参照）。この場合、延出部分の幅が上記範囲内であることにより、吸収スポンジ棒４を挿設させるのに十分な幅を確保するとともに、保持バンド１を中指に装着する際に、この延出部分が邪魔になるのを防止することができる。
【００１３】
さらに、本発明の保持バンド１は、バンド部２も一対の面ファスナーで形成されていることが好ましい。バンド部２を面ファスナーで形成することにより、取り付ける部分の指の大きさに限定されることなく、所望する位置に装着できるものとなる。また、保持バンド１の装着・脱着が容易であることはもちろん、面ファスナーによる接合位置を変えることで中指への締め付け具合を適宜に調整することが可能となる。さらに、上記保持部３も面ファスナーで形成されていることから、バンド部２と保持部３を同じ一対の面ファスナーで形成させることができる。例えば、図１に示した例では、バンド部２と保持部３は、これらを両方備えた１対の面ファスナーにより一体に形成されている。また、バンド部２と保持部３が、別々の一対の面ファスナーで形成されている場合であっても、面ファスナーの機能でこれらを接合させることにより、容易に一体化することができる。例えば、図６に示した例では、面ファスナーを接合する前の状態において、バンド部２と保持部３は各々分離した状態であるが、これらは、面ファスナーを接合することで容易に一体化される。つまり、バンド部２も一対の面ファスナーで形成することにより、縫合等の加工が不必要となり、コストの削減が可能となる。以上、バンド部２が面ファスナーで形成されていることについて述べたが、これ以外に、バンド部２として、ゴムバンド等を用いることができる。
【００１４】
次に、バンド部２と保持部３のいずれもが面ファスナーにより形成されている場合における保持バンド１の作成方法の例について説明する。図１１は、本発明の第１の実施形態である保持バンドの作成方法を示す説明図である。第１の実施形態の保持バンド１は、バンド部２となる部分及び保持部３となる部分を有する１枚の面ファスナー（部材Ａ）と、同様にこれらの部分を有する１枚の面ファスナー（部材Ｂ）とから構成されている（図１１（ａ）参照）。そして、部材ＡとＢを互いに接合することで第１の実施形態の保持バンド１は作成される（図１１（ｂ）参照）。さらに、この保持バンド１のバンド部２の端部同士を接合することで図１１（ｃ）（図１）に示される形態となる。
【００１５】
図５は、本発明の保持バンドの第２の実施形態を示す斜視図であり、図１２は、本発明の第２の実施形態である保持バンドの作成方法を示す説明図である。第２の実施形態の保持バンド１は、バンド部２となる部分を有する１枚の面ファスナー（部材Ｃ）と、バンド部２となる部分及び保持部３となる部分を有する１枚の面ファスナー（部材Ｄ）とから構成されている（図１２（ａ）参照）。そして、部材Ｄの保持部３となる部分を中央付近から折り曲げて面同士を接合し保持部３を形成させ（図１２（ｂ）参照）、さらに、部材Ｃと部材Ｄを互いに接合させることにより第２の実施形態の保持バンド１は作成される（図１２（ｃ）参照）。なお、本形態の保持バンド１においては、部材Ｄに用いる面ファスナーは、後述するフックとループの機能を両方備えた面ファスナーであることを要する。
【００１６】
図６は、本発明の保持バンドの第３の実施形態を示す斜視図であり、図１３は、本発明の第３の実施形態である保持バンドの作成方法を説明する説明図である。第３の実施形態の保持バンド１は、バンド部２となる部分を有する１枚の面ファスナー（部材Ｅ）と、同様にバンド部２となる部分を有する１枚の面ファスナー（部材Ｆ）と、保持部３となる部分を有する1枚の面ファスナー（部材Ｇ）とから構成されている（図１３（ａ）参照）。そして、部材Ｅと部材Ｆを互いに接合させ、さらに部材Ｅ又は部材Ｆに部材Ｇを接合させることにより、第３の実施形態の保持バンド１は作成される（図１３（ｂ）及び図６参照）。
【００１７】
本発明に使用する面ファスナーは、特に限定はなく、市販されているいずれのものも使用できる。例えば、カネボウ社製の商品名「マジクロス」等の一対の面ファスナーの面上にフックの機能とループの機能をそれぞれ別々に設けることにより、当該面同士を密着させて接合する方式のものや、例えば、クラレ社製の商品名「自由自在バンド」等の１枚の面ファスナーの面上にフックとループの機能を両方備えており、当該面同士を密着させて接合する方式のもの等を使用できる。特に、後者の面ファスナーは、１枚の面ファスナーを折り曲げて面同士を接合することもできるし、また他の面ファスナーと接合する際も、他がフックまたはループのどちらの機能を有するかを問わず使用できるため、より好ましい。面ファスナーの素材は、特に限定はないが、手術糸等に用いられるナイロン繊維等を用いることができる。
【００１８】
以下、本発明の保持バンド１の様々な実施形態について説明する。まず、本発明の保持バンド１は、前記バンド部２と前記保持部３の組み合せ方法を自由に設計することができる。例えば、バンド部２と保持部３を同じ一対の面ファスナーで形成させた形態にすることができる。具体的には、例えば、図１に示される、バンド部２と保持部３を両方備えた１枚の面ファスナーと、同様にこれらを両方備えた１枚の面ファスナーを接合させた形態にすることができる。また、図５に示される、バンド部２と保持部３を両方備えた1枚の面ファスナーと、バンド部２のみを備えた１枚の面ファスナーを接合させた形態にすることもできる。また、他の形態として、例えば、図６に示すように、1対の面ファスナーで形成されたバンド部２に、別の面ファスナーで形成された保持部３を面ファスナーの機能により接合させ一体化した形態にすることができる。
【００１９】
また、本発明の保持バンド１は、保持部３の形態についても本発明の要旨を損なわない範囲で自由に設計することができる。例えば、図６または図７に示すように、保持部３の延出部分をより長くした形態を採用することができる。具体例としては、保持部３の延出部分の長さを２０〜７０ｍｍとした形態が挙げることができ、この場合、１〜３本の吸収スポンジ棒４を延出部分に挿入させてストックしておくことができる（図６（ｂ）参照）。この形態を採用することにより、処置に使用する吸収スポンジ棒４が使用済となったとしても、ストックさせた吸収スポンジ棒４に迅速に取り替えることが可能となる。通常、一回の眼科手術で必要とされる吸収スポンジ棒４の数は１〜３本といわれていることから、上記形態を採用することにより、眼科手術に必要な量の吸収スポンジ棒４を十分に確保できる。なお、ストックする場合における吸収スポンジ棒４を挿設させる向きは、保持バンド１を装着した状態で親指方向となるようにすることが好ましい。これと反対側の小指方向に吸収スポンジ棒４を挿入してストックさせた場合、眼科手術の際に、吸収スポンジ棒４が患者の顔に触れるおそれがあることから避けたほうがよい。
【００２０】
さらに図６に示される第３の実施形態を発展させた形態として、保持部３の延出部分を円形状とした形態にすることもできる（図７（ａ）参照）。この延出部分を円形状とすることで、延出部分の長さを抑えつつ、より多くの吸収スポンジ棒４をストックさせることが可能となり（図７（ｂ）参照）、手術者の予想を超えた出血が生じた場合であっても、十分に対応することができる。
【００２１】
なお、図１や図５に代表される、保持部３の延出部分の長さが、それ程長くない実施形態であっても、図４に示すように、吸収スポンジ棒４を、使用時に挿設させる向きと反対側の向きに挿設させ、保持部３に１本ストックしておくこともできる。また、図１４に示すように、使用時に挿設させる向きと反対側の向きに吸収スポンジ棒４を挿設するとともに、保持バンド１を装着した状態での親指方向に吸収スポンジ棒４を挿設させ、吸収スポンジ棒４を保持部３に２本ストックしておくこともできる。
【００２２】
本発明の保持バンド１は、その取扱い性を向上させることを目的として、さらに、他の部材を設けていてもよい。例えば、吸収スポンジ棒４の挿入を容易にするために、前記保持部３である面ファスナーの接合部分に、挿入補助部材８を設けることができる（図８参照）。この挿入補助部材８としては、例えば、吸収スポンジ棒４と同程度の幅に調整された１枚の面ファスナーを用いることができる。この面ファスナーで形成させた挿入補助部材８は、保持部３である面ファスナーの接合部分の両方又はどちらか一方に接合させて設置することができ、これにより面ファスナーの機能が部分的に阻害されることから、同箇所に吸収スポンジ棒４を容易に挿入することができる。また、この挿入補助部材８は、バンド部２と一体化させて設けてもよい（図１３参照）。
【００２３】
また、吸収スポンジ棒４の挿入を容易にする他の方法として、保持部３又はバンド部２における吸収スポンジ棒４を挿入する入口部分にＶ字形の切り込み９を設けることもできる（図９、図１３参照）。さらに、吸収スポンジ棒４をストックさせる位置においては、吸収スポンジ棒４の抜差しが、より容易となるよう、切り込み部分を大きくさせた切り込み９´を設けてもよい（図１４参照）。
【００２４】
また、本発明の保持バンド１には、滑り止め機能を有した指あて部材１０を前記保持部３の裏面側に設けることもできる（図１０参照）。この場合、指に装着された保持バンド１の位置がずれるのを確実に防止することができる。上記指あて部材１０は、滑り止め機能を有していれば特に制限されないが、例えば、表面を微細な凹凸に形成させた滑り止めシール等を用いることができる。このような滑り止めシールの具体例としては、例えば、カズキ社製の商品名「ペララ」を挙げることができる。
【００２５】
さらに、本発明の保持バンド１は、キャラクターデザイン等の絵柄模様を保持部３の表面側に施すこともできる（図示なし）。この場合、保持バンド１の美観性を高めることができ、また、これにより患者の気分をリラックスさせる効果が期待できる。
【００２６】
本発明の保持バンド１に挿設される吸収スポンジ棒４について説明する。吸収スポンジ棒４は、吸収スポンジ部分４と棒状の柄部分６とから構成されるものであり（図２参照）、従来、眼科手術の用途に使用されている吸収スポンジ棒４であれば、いずれのものも用いることができる。このような吸収スポンジ棒４の具体例としては、例えば、メロセルコーポレーション社製の商品名「メロセルアイスピア」又は「ケラセルアイスピア」等を挙げることができる。この吸収スポンジ棒４を保持部３に挿入させる深さの程度や、挿入させる角度等は使用者である手術者が取り扱い易いように適宜調整することができる。
【００２７】
以上の構成をした保持バンド１は、エチレンオキサイドガス滅菌（ＥＯＧ滅菌）等の方法で消毒することにより繰返し使用することもできるし、廉価に作製できることから使い捨てにしてもよい。
【産業上の利用可能性】
【００２８】
本発明によれば、吸収スポンジ棒を、迅速かつ安全に、手術者のタイミングと感触で使用することを可能にする吸収スポンジ棒用保持バンドを提供することができる。したがって、本発明の保持バンドは、白内障手術や緑内障手術等の眼科手術において、患者への負担軽減に寄与することができる。
【図面の簡単な説明】
【００２９】
【図１】本発明の保持バンドの第１の実施形態を示す斜視図。
【図２】第１の実施形態の保持バンドの装着状態を示す説明図。
【図３】第２の実施形態の保持バンドの使用状態を示す説明図。
【図４】第1の実施形態の保持バンドに吸収スポンジ棒を挿設させた状態を示す斜視図。
【図５】本発明の保持バンドの第２の実施形態を示す斜視図。
【図６】本発明の保持バンドの第３の実施形態を示す斜視図。
【図７】本発明の保持バンドの第４の実施形態を示す斜視図。
【図８】挿入補助部材を説明する斜視図。
【図９】切り込みを説明する斜視図。
【図１０】指あて部材を説明する斜視図。
【図１１】第１の実施形態の保持バンドの作成方法を示す説明図。
【図１２】第２の実施形態の保持バンドの作成方法を示す説明図。
【図１３】第３の実施形態の保持バンドの作成方法を示す説明図。
【図１４】第1の実施形態の保持バンドに吸収スポンジ棒を挿設させた状態を示す斜視図。
【符号の説明】
【００３０】
１：血液吸収止血スポンジ棒用保持バンド
２：バンド部
３：保持部
４：血液吸収止血スポンジ棒
５：吸収スポンジ部分
６：柄部分
７：手術器具
８：挿入補助部材
９、９’：切り込み
１０：指あて部材
ａ：バンド部の幅方向
ｂ：手の先方向
ｃ：手の甲方向
Ａ〜Ｇ：部材
【図１】
2008264241.tif 000003
【図２】
2008264241.tif 000004
【図３】
2008264241.tif 000005
【図４】
2008264241.tif 000006
【図５】
2008264241.tif 000007
【図６】
2008264241.tif 000008
【図７】
2008264241.tif 000009
【図８】
2008264241.tif 000010
【図９】
2008264241.tif 000011
【図１０】
2008264241.tif 000012
【図１１】
2008264241.tif 000013
【図１２】
2008264241.tif 000014
【図１３】
2008264241.tif 000015
【図１４】
2008264241.tif 000016